(57)【要約】【課題】表面シートにフィルム層が積層されてなる積層ラベルにおいて、部分的に、被着体に貼付された後に剥離される用途以外の用途で使用する。【解決手段】配達票１１及び貼付票１２においては、配送物２に貼付された後に剥離される用途に使用されながらも、保証書片１３に対向する領域においては、粘着層４０と台紙シート２１との間にシリコン層２２が積層されておらず、フィルム層３０の粘着層４０との積層面に保証情報１３ｆが表示されている。【選択図】図１
2018077405.tif 000002
【特許請求の範囲】
【請求項１】
互いに分離可能な第１及び第２の領域を具備する表面シートと、
前記表面シートの一方の面に積層された第１の剥離層と、
前記第１の剥離層の前記表面シートとの積層面とは反対側の面に積層されたフィルム層と、
前記フィルム層の前記第１の剥離層との積層面とは反対側の面に積層された粘着層と、
前記粘着層の前記フィルム層との積層面とは反対側の面に積層された台紙シートと、
前記粘着層の前記第１の領域に対向する領域と前記台紙シートとの間に積層された第２の剥離層とを有し、
前記フィルム層または前記台紙シートの前記粘着層との積層面のうち前記第２の領域に対向する領域に情報が表示されている、積層ラベル。
【発明の詳細な説明】
【技術分野】
【０００１】
本発明は、表面シートにフィルム層が積層されてなる積層ラベルに関し、特に、表面シートが、互いに分離可能な２つの領域を有する積層ラベルに関する。
【背景技術】
【０００２】
従来、配送物を配送する場合、配送物の配送元及び配送先の住所や氏名あるいは名称等の配送情報が記入された配送ラベルが用いられ、配送情報が記入された配送ラベルが配送物に貼付され、配送ラベルに記入された配送情報に従って配送物が配送先に配送されている。このような配送ラベルにおいては、配送物が配送先に配送された後に配送業者が持ち帰る配達票が分離可能に構成されたものが用いられている。この配送ラベルを用いた場合、配送物が配送先に配送されると、配達票に受領印が押下され、配達票が配送ラベルから分離されて配送業者によって持ち帰られることにより、配送物が配送先に配送されたことが管理される。
【０００３】
ここで、表面基材の一方の面に剥離層を介して樹脂層が積層され、樹脂層の表面基材との積層面とは反対側の面に積層された接着層によって被着体に貼付され、その後、表面基材が剥離層によって樹脂層から剥離されることで、表面基材を被着体から分離できる積層ラベルが考えられている（例えば、特許文献１参照）。この積層ラベルを上記のような配送ラベルに用いることで、配送物に貼付された後、配達票や貼付票を配送物から分離することができるようになる。
【先行技術文献】
【特許文献】
【０００４】
【特許文献１】特開２００１−２０２０２２号公報
【発明の概要】
【発明が解決しようとする課題】
【０００５】
ところで、特許文献１に記載された積層ラベルを上記のような配送ラベルに用いた場合、表面基材が樹脂層から剥離されることで配送物から分離可能な構成となる。そのため、配達票や貼付票として利用することは想定されるものの、部分的に配達票や貼付票以外の用途として利用することは想定されておらず、汎用性に乏しいという問題点がある。
【０００６】
本発明は、上述したような従来の技術が有する問題点に鑑みてなされたものであって、表面シートにフィルム層が積層されてなる積層ラベルにおいて、部分的に、被着体に貼付された後に剥離される用途以外の用途で使用することができる積層ラベルを提供することを目的とする。
【課題を解決するための手段】
【０００７】
上記目的を達成するために本発明は、
互いに分離可能な第１及び第２の領域を具備する表面シートと、
前記表面シートの一方の面に積層された第１の剥離層と、
前記第１の剥離層の前記表面シートとの積層面とは反対側の面に積層されたフィルム層と、
前記フィルム層の前記第１の剥離層との積層面とは反対側の面に積層された粘着層と、
前記粘着層の前記フィルム層との積層面とは反対側の面に積層された台紙シートと、
前記粘着層の前記第１の領域に対向する領域と前記台紙シートとの間に積層された第２の剥離層とを有し、
前記フィルム層または前記台紙シートの前記粘着層との積層面のうち前記第２の領域に対向する領域に情報が表示されている。
【０００８】
上記のように構成された本発明においては、表面シートの第１の領域においては、台紙シートが剥離されることで表出した粘着層によって被着体に貼付された後、表面シートとフィルム層とを第１の剥離層を介して剥離することで、表面シートを被着体から剥離することができる。一方、表面シートの第２の領域においては、第１の領域から分離し、表面シートとフィルム層とを剥離層を介して剥離することで、フィルム層または台紙シートの粘着層との積層面のうち第２の領域に対向する領域に表示された情報がフィルム層、またはフィルム層及び粘着層を介して視認可能な状態となる。このように、第１の領域においては、被着体に貼付された後に剥離される用途に使用されながらも、第２の領域においては、被着体に貼付された後に剥離される用途以外の用途で使用することができる。その際、第２の領域に対向する領域においては、第２の領域がフィルム層から剥離した状態において、フィルム層または台紙シートの粘着層との積層面に表示された情報がフィルム層によって覆われていることにより、情報の改ざんを防止できる。
【発明の効果】
【０００９】
本発明によれば、表面シートの第２の領域に対向する領域においては、粘着層と台紙シートとの間に第２の剥離層が積層されておらず、フィルム層または台紙シートの粘着層との積層面に情報が表示されているため、表面シートを第１の剥離層を介してフィルム層から剥離することで、情報が視認可能となり、それにより、表面シートにフィルム層が積層されてなる積層ラベルにおいて、第２の領域を部分的に、被着体に貼付された後に剥離される用途以外の用途で使用することができる。
【図面の簡単な説明】
【００１０】
【図１】本発明の積層ラベルの実施の一形態を示す図であり（ａ）は表面図、（ｂ）は（ａ）に示したＡ−Ａ’断面図である。
【図２】図１に示した配送ラベルにおけるフィルム層の裏面の構成を示す図である。
【図３】図１及び図２に示した配送ラベルが製造されていく様子を示す配送ラベルの断面図である。
【図４】図１及び図２に示した配送ラベルの配達票及び貼付票と保証書片との分離方法を説明するための図である。
【図５】図１に示した配達票及び貼付票が被着体となる配送物に貼付されるまでの使用方法を説明するための図である。
【図６】図１に示した保証書片の使用方法を説明するための図である。
【図７】図１に示した配達票及び貼付票が配送物に貼付された後に配達票を剥離する際の作用を説明するための図である。
【図８】図１に示した配達票及び貼付票が配送物に貼付された後に貼付票を剥離する際の作用を説明するための図である。
【図９】本発明の積層ラベルの他の実施の形態を示す図であり（ａ）は表面図、（ｂ）は（ａ）に示したＡ−Ａ’断面図である。
【図１０】図９に示した配送ラベルが製造されていく様子を示す配送ラベルの断面図である。
【発明を実施するための形態】
【００１１】
以下に、本発明の実施の形態について図面を参照して説明する。
【００１２】
図１は、本発明の積層ラベルの実施の一形態を示す図であり（ａ）は表面図、（ｂ）は（ａ）に示したＡ−Ａ’断面図である。図２は、図１に示した配送ラベル１におけるフィルム層３０の裏面の構成を示す図である。
【００１３】
本形態における積層ラベルは図１に示すように、表面シートとなる伝票用紙１０と、第１の剥離層となるシリコン層５０ａ及びニス層５０ｂと、フィルム層３０と、粘着層４０と、第２の剥離層となるシリコン層２２と、台紙シート２１とから構成されている。
【００１４】
伝票用紙１０は、感熱紙や上質紙からなり、第１の領域となる配達票１１と、貼付票１２と、第２の領域となる保証書片１３とがスリット１４及びミシン目１５を介して分離可能に連接して構成されている。伝票用紙１０の表面には、この配送ラベル１が貼付されて配送される配送物の配送先の住所や氏名あるいは名称、品名等の配送情報が印字あるいは記入される配送情報表示領域１１ａ，１２ａが配達票１１及び貼付票１２となる領域にそれぞれ設けられており、配達票１１となる領域の表面には、さらに、配送物の配送先にて受領印が押下される押印領域１１ｂが設けられている。また、保証書片１３には、保証書片１３の使用方法を説明するための使用方法説明情報１３ｅが表示されている。配達票１１と貼付票１２とは、図１中縦方向に並んでスリット１４を介して連接している。保証書片１３は、配達票１１及び貼付票１２と図１中横方向に並んでミシン目１５を介してこれら配達票１１及び貼付票１２と連接している。なお、配達票１１と貼付票１２と保証書片１３とを分離可能とする切り離し線としては、スリット１４やミシン目１５に限らず、特定の形状の切り込みが一方向に配列してなる、いわゆるジッパー等、周知のものを適宜採用することができる。
【００１５】
伝票用紙１０の裏面には、その全面に、シリコンが、例えば１〜１０μｍの厚さで塗布されることでシリコン層５０ａが積層されている。このシリコン層５０ａとしては、例えば、２アクリル酸ヘキサメチレンが１０％、シリコンが５〜１０％、感光性樹脂が１〜２０％、感光性モノマーが４０〜７０％、光開始剤が１〜１０％、その他添加剤が５％未満それぞれ含有されてなる紫外線硬化型インキを用いることができ、その一例としては、株式会社Ｔ＆Ｋ  ＴＯＫＡ製のベストキュアーＵＶコートニス／フレキソニスシリーズを用いることが考えられる。
【００１６】
シリコン層５０ａの伝票用紙１０との積層面とは反対側の面には、ニスが、例えば１〜５μｍの厚さでパターン塗布されることでニス層５０ｂが部分的に積層されている。このニス層５０ｂとしては、例えば、固形パラフィンが１〜５％、シリカが０．１〜５％、感光性樹脂が１〜２０％、感光性モノマーが３０〜７０％、光開始剤が５〜１５％、その他添加剤が５％未満それぞれ含有されてなる紫外線硬化型インキを用いることができ、その一例としては、株式会社Ｔ＆Ｋ  ＴＯＫＡ製のＵＶハクリＯＰニスシリーズを用いることが考えられる。ニス層５０ｂは、例えば、配達票１１をフィルム層３０から剥離する際の剥離開始端となる角部から、その角部に対向する角部に向かう方向を長辺とする複数の長方形が一定の規則で配列され、その長方形の内部に積層されている。これは、シリコン層５０ａ上に、例えば５０％の濃度のスクリーン印刷によってニス層５０ｂを積層することで実現することが考えられる。
【００１７】
フィルム層３０は、透明性を有するオレフィン系樹脂等からなり、上述したようにニス層５０ｂが積層されたシリコン層５０ａの伝票用紙１０との積層面とは反対側の面の全面に積層されている。それにより、伝票用紙１０はシリコン層５０ａ及びニス層５０ｂによってフィルム層３０に剥離可能に貼着されている。このフィルム層３０としては、その厚さが、坪量にて２５±５ｇ程度のものが考えられ、例えば、株式会社ＭＯＲＥＳＣＯ製のモレスコメルトＥＰ−８０を用いることが考えられる。
【００１８】
フィルム層３０の裏面には、図２に示すように、保証書片１３に対向する領域に、保証情報１３ｆが印刷によって表示されている。保証情報１３ｆは、例えばフレキソ印刷によって印刷され、後述するように、印刷された面とは反対側の面から視認されることになるため、鏡面印刷されている。そして、フィルム層３０の保証情報１３ｆが印刷された面の全面に、粘着剤が、例えば５〜２０μｍの厚さで塗布されることで粘着層４０が積層されている。この粘着層４０としては、例えば、株式会社ＭＯＲＥＳＣＯ製のモレスコメルトＴＮ−５６７Ｚを用いることが考えられる。
【００１９】
粘着層４０のフィルム層３０との積層面とは反対側の面のうち配達票１１及び貼付票１２に対向する領域には、シリコン層２２が積層されている。このシリコン層２２は、シートの一方の面に積層されることで剥離紙を構成する一般的なものを用いることが考えられる。
【００２０】
そして、粘着層４０またはシリコン層２２のフィルム層３０との積層面とは反対側の面に、配達票１１、貼付票１２及び保証書片１３の全てに対向して、例えばグラシン紙からなる台紙シート２１が積層され、台紙シート２１とシリコン層２２とで剥離紙を構成している。台紙シート２１には、ミシン目１５に対向する領域にミシン目２３が形成されており、配達票１１及び貼付票１２に対向する領域と、保証書片１３に対向する領域とが、ミシン目２３によって分離可能となっている。
【００２１】
以下に、上述した配送ラベル１の製造方法について説明する。
【００２２】
図３は、図１及び図２に示した配送ラベル１が製造されていく様子を示す配送ラベル１の断面図である。
【００２３】
図１及び図２に示した配送ラベル１を製造する場合はまず、ウェブ状となった伝票用紙１０がロールから引き出され、伝票用紙１０の表面に、配送情報表示領域１１ａ，１２ａ及び押印領域１１ｂを構成する枠等のプレ印刷が施されるとともに、使用情報説明情報１３ｅが印刷される。
【００２４】
次に、伝票用紙１０の裏面の全面に、上述したような材料からなるシリコンが塗布されることによってシリコン層５０ａが積層され、また、シリコン層５０ａの伝票用紙１０との積層面とは反対側の面の全面に、上述したような材料からなるニスがパターンで塗布されることによってニス層５０ｂが積層される（図３（ａ））。
【００２５】
次に、ニス層５０ｂが積層されたシリコン層５０ａの伝票用紙１０との積層面とは反対側の面の全面に、上述したような材料からなる樹脂が塗布されることにより、フィルム層３０が形成、積層される（図３（ｂ））。
【００２６】
そして、フィルム層３０が固化した後、フィルム層３０のシリコン層５０ａ及びニス層５０ｂとの積層面とは反対側の面において、保証書片１３に対向する領域に、フレキソ印刷によって保証情報１３ｆが鏡面印刷される（図３（ｃ））。なお、保証情報１３ｆは、フレキソ印刷によらず、グラビア印刷や、樹脂凸形態を含むオフセット印刷、あるいはシルクスクリーン印刷等、他の印刷方式によって印刷することもできる。
【００２７】
一方、台紙シート２１においては、台紙シート２１の一方の面のうち、配達票１１及び貼付票１２に対向することとなる領域にシリコン層２２が積層される（図３（ｄ））。
【００２８】
また、台紙シート２１のシリコン層２２が積層された面の全面に、粘着剤が塗布されることにより、粘着層４０が積層される（図３（ｅ））。
【００２９】
その後、シリコン層５０ａ、ニス層５０ｂ及びフィルム層３０が積層された伝票用紙１０と、一部にシリコン層２２が積層され、その面の全面に粘着層４０が積層された台紙シート２１とが、粘着層４０を介して貼着される。また、伝票用紙１０の配達票１１と貼付票１２との境界部分にスリット１４が入れられるとともに、配達票１１及び貼付票１２と保証書片１３との境界部分にミシン目１５が入れられる。また、台紙シート２１においても、配達票１１及び貼付票１２に対向する領域と保証書片１３に対向する領域との境界部分にミシン目２３が入れられる（図３（ｆ））。
【００３０】
このようにして、伝票用紙１０の裏面に、シリコン層５０ａ、ニス層５０ｂ、フィルム層３０及び粘着層４０が積層され、さらに、この粘着層４０によって、その一部にシリコン層２２が積層された台紙シート２１が貼着されたウェブ状の配送ラベル１が製造され、配送ラベルロールとして巻き取られて保管され、その後、配送ラベル１の使用時に単片状の配送ラベル１に断裁されることになる。
【００３１】
なお、台紙シート２１のシリコン層２２が積層された面の全面に粘着層４０を積層し、その後、シリコン層５０ａ、ニス層５０ｂ及びフィルム層３０が積層された伝票用紙１０と、一部にシリコン層２２が積層され、その面の全面に粘着層４０が積層された台紙シート２１とを、粘着層４０を介して貼着するのではなく、保証情報１３ｆが印刷されたフィルム層３０のシリコン層５０ａ及びニス層５０ｂとの積層面とは反対側の面の全面に粘着層４０を積層しておき、一部にシリコン層２２が積層された台紙シート２１を粘着層４０を介してフィルム層３０に貼着してもよい。
【００３２】
以下に、上述した配送ラベル１の使用方法及びその際の作用について説明する。
【００３３】
図４は、図１及び図２に示した配送ラベル１の配達票１１及び貼付票１２と保証書片１３との分離方法を説明するための図である。
【００３４】
上述した配送ラベル１は、図４（ａ）に示すように、配送情報表示領域１１ａ，１２ａのそれぞれに、配送物の配送先の住所や氏名あるいは名称、品名等の配送情報１１ｃ，１２ｃが印字または記入された後、伝票用紙１０のミシン目１５及び台紙シート２１のミシン目２３がそれぞれ破断されることで、配達票１１及び貼付票１２と保証書片１３とに分離されていく。
【００３５】
そして、図４（ｂ）に示すように、伝票用紙１０のミシン目１５及び台紙シート２１のミシン目２３がそれぞれ完全に破断され、配達票１１及び貼付票１２と保証書片１３とが、それぞれ台紙シート２１が貼着された状態で分離される。
【００３６】
図５は、図１に示した配達票１１及び貼付票１２が被着体となる配送物に貼付されるまでの使用方法を説明するための図である。
【００３７】
上記のようにして保証書片１３から分離された配達票１１及び貼付票１２は、図５（ａ）に示すように、被着体となる配送物に貼付するために台紙シート２１がシリコン層２２とともに剥離される。
【００３８】
台紙シート２１が剥離されると、フィルム層３０に積層された粘着層４０が表出し、図５（ｂ）に示すように、表出した粘着層４０によって配達票１１及び貼付票１２が配送物２に貼付される。配達票１１及び貼付票１２が貼付された配送物２は、配送情報表示領域１１ａ，１２ａに印字または記入された配送情報１１ｃ，１２ｃに従って配送先に配送されていく。
【００３９】
図６は、図１に示した保証書片１３の使用方法を説明するための図である。
【００４０】
上記のようにして配達票１１及び貼付票１２から分離された保証書片１３は、図６（ａ）に示すように、フィルム層３０から剥離されていく。保証書片１３は、シリコン層５０ａ及びニス層５０ｂによってフィルム層３０から剥離可能となっているため、配達票１１及び貼付票１２から分離された後、フィルム層３０から剥離することができる。
【００４１】
保証書片１３がフィルム層３０から剥離されると、図６（ｂ）に示すように、保証書片１３が剥離された領域にてフィルム層３０が表出するが、フィルム層３０の保証書片１３に対向する領域には保証情報１３ｆが印刷されているため、この保証情報１３ｆが視認可能となり、保証書として保管することができる。なお、保証情報１３ｆは、フィルム層３０のシリコン層５０ａ及びニス層５０ｂを介した伝票用紙１０との積層面とは反対側の面に印刷されているものの、フィルム層３０が透明性を有する材料からなるものであり、かつ、保証情報１３ｆが鏡面印刷されているものであることから、フィルム層３０を介してその内容を認識することができる。その際、保証情報１３ｆが、フィルム層３０のシリコン層５０ａ及びニス層５０ｂを介した伝票用紙１０との積層面とは反対側の面に印刷されているため、伝票用紙１０の保証書片１３となる領域がフィルム層３０から剥離されてフィルム層３０が表出した状態においても、保証情報１３ｆ自体は表出しておらずにフィルム層３０によって覆われているため、保証情報１３ｆが摩耗や改ざん等から保護されることとなる。
【００４２】
図７は、図１に示した配達票１１及び貼付票１２が配送物に貼付された後に配達票１１を剥離する際の作用を説明するための図である。
【００４３】
図１に示した配達票１１及び貼付票１２が貼付された配送物２が配送先に配送され、図７（ａ）に示すように、配達票１１に設けられた押印領域１１ｂに受領印１１ｄが押下された後、配達票１１がフィルム層３０から剥離されていく。配達票１１はその裏面に積層されたシリコン層５０ａ及びニス層５０ｂによってフィルム層３０から剥離可能となっているため、配達票１１をフィルム層３０から剥離することができ、また、配達票１１がスリット１４によって貼付票１２から分離可能となっているため、配達票１１を貼付票１２から分離することができる。それにより、図７（ｂ）に示すように、配達票１１のみをフィルム層３０から剥離することで配送物２から剥離することができる。
【００４４】
図８は、図１に示した配達票１１及び貼付票１２が配送物に貼付された後に貼付票１２を剥離する際の作用を説明するための図である。
【００４５】
上述したように配達票１１がフィルム層３０から剥離された後、貼付票１２の配送情報表示領域１２ａに印字または記入された配送情報１２ｃの漏えいを回避する場合、配送物２の配送先において、図８（ａ）に示すように、貼付票１２がフィルム層３０から剥離されていく。貼付票１２はその裏面に積層されたシリコン層５０ａ及びニス層５０ｂによってフィルム層３０から剥離可能となっているため、貼付票１２をフィルム層３０から剥離することができ、図８（ｂ）に示すように、配達票１１と同様に配送物２から剥離することができる。
【００４６】
このように、本形態においては、配達票１１及び貼付票１２においては、配送物２に貼付された後に剥離される用途に使用されながらも、保証書片１３に対向する領域においては、粘着層４０と台紙シート２１との間にシリコン層２２が積層されておらず、フィルム層３０の粘着層４０との積層面に保証情報１３ｆが表示されているため、保証書片１３をシリコン層５０ａ及びニス層５０ｂを介してフィルム層３０から剥離することで、保証情報１３ｆが視認可能となり、それにより、保証書片１３を、配送物２に貼付された後に剥離される用途以外の用途で使用することができる。その際、保証書片１３がフィルム層３０から剥離された状態においては、保証情報１３ｆがフィルム層３０によって覆われていることにより、情報の改ざんを防止できる。
【００４７】
（他の実施の形態）
図９は、本発明の積層ラベルの他の実施の形態を示す図であり（ａ）は表面図、（ｂ）は（ａ）に示したＡ−Ａ’断面図である。
【００４８】
本形態の配送ラベル１０１は図９に示すように、図１に示したものに対して、保証情報１３ｆが、フィルム層３０の粘着層４０との積層面ではなく、台紙シート２１の粘着層４０との積層面に印刷されている点が異なるものである。
【００４９】
以下に、図９に示した配送ラベル１０１の製造方法について説明する。
【００５０】
図１０は、図９に示した配送ラベル１０１が製造されていく様子を示す配送ラベル１０１の断面図である。
【００５１】
図９に示した配送ラベル１０１を製造する場合はまず、ウェブ状となった伝票用紙１０がロールから引き出され、伝票用紙１０の表面に、配送情報表示領域１１ａ，１２ａ及び押印領域１１ｂを構成する枠等のプレ印刷が施されるとともに、使用情報説明情報１３ｅが印刷される。
【００５２】
次に、伝票用紙１０の裏面の全面に、上述したような材料からなるシリコンが塗布されることによってシリコン層５０ａが積層され、また、シリコン層５０ａの伝票用紙１０との積層面とは反対側の面の全面に、上述したような材料からなるニスがパターンで塗布されることによってニス層５０ｂが積層される（図１０（ａ））。
【００５３】
次に、ニス層５０ｂが積層されたシリコン層５０ａの伝票用紙１０との積層面とは反対側の面の全面に、上述したような材料からなる樹脂が塗布されることにより、フィルム層３０が形成、積層される（図１０（ｂ））。
【００５４】
一方、台紙シート２１においては、台紙シート２１の一方の面のうち、配達票１１及び貼付票１２に対向することとなる領域にシリコン層２２が積層される（図１０（ｃ））。
【００５５】
また、台紙シート２１の保証書片１３に対向することとなる領域に保証情報１３ｆが印刷される（図１０（ｄ））。なお、台紙シート２１にシリコン層２２を積層する工程と、保証情報１３ｆを印刷する工程とは、その順序を逆にしてもよい。
【００５６】
次に、台紙シート２１のシリコン層２２が積層されるとともに保証情報１３ｆが印刷された面の全面に、粘着剤が塗布されることにより、粘着層４０が積層される（図１０（ｅ））。
【００５７】
その後、シリコン層５０ａ、ニス層５０ｂ及びフィルム層３０が積層された伝票用紙１０と、一部にシリコン層２２が積層され、その面の全面に粘着層４０が積層された台紙シート２１とが、粘着層４０を介して貼着される。また、伝票用紙１０の配達票１１と貼付票１２との境界部分にスリット１４が入れられるとともに、配達票１１及び貼付票１２と保証書片１３との境界部分にミシン目１５が入れられる。また、台紙シート２１においても、配達票１１及び貼付票１２に対向する領域と保証書片１３に対向する領域との境界部分にミシン目２３が入れられる（図１０（ｆ））。
【００５８】
このようにして、伝票用紙１０の裏面に、シリコン層５０ａ、ニス層５０ｂ、フィルム層３０及び粘着層４０が積層され、さらに、この粘着層４０によって、その一部にシリコン層２２が積層された台紙シート２１が貼着されたウェブ状の配送ラベル１０１が製造され、配送ラベルロールとして巻き取られて保管され、その後、配送ラベル１０１の使用時に単片状の配送ラベル１０１に断裁されることになる。
【００５９】
本形態における配送ラベル１０１においても、図１に示したものと同様に使用される。その際、保証書片１３がフィルム層３０から剥離されると、保証情報１３ｆが、フィルム層３０及び粘着層４０を介して視認可能となるが、保証情報１３ｆは、台紙シート２１の粘着層４０との積層面に印刷されたものであることから、図１に示したもののように鏡面印刷する必要はない。
【００６０】
なお、上述した２つの実施の形態においては、伝票用紙１０の第２の領域として保証書片１３を例に挙げ、この保証書片１３に対向する領域に保証情報１３ｆが表示されたものを例に挙げて説明したが、伝票用紙１０の第２の領域がフィルム層３０から剥離される前の状態では、第２の領域に対向する領域に表示された情報が視認不可能となっているため、第２の領域に対向する領域に隠蔽すべき情報を表示しておくこともできる。その場合、伝票用紙１０の第２の領域のシリコン層５０ａとの積層面に地紋等を印刷していくことにより、伝票用紙１０の第２の領域がフィルム層３０から剥離される前の状態において、第２の領域に対向する領域に表示された情報の隠蔽性を高めることができる。
【符号の説明】
【００６１】
１，１０１    配送ラベル
２    配送物
１０    伝票用紙
１１    配達票
１１ａ，１２ａ    配送情報表示領域
１１ｂ    押印領域
１１ｃ，１２ｃ    配送情報
１１ｄ    受領印
１２    貼付票
１３    保証書片
１３ｅ    使用方法説明情報
１３ｆ    保証情報
１４    スリット
１５，２３    ミシン目
２１    台紙シート
２２，５０ａ    シリコン層
３０    フィルム層
４０    粘着層
５０ｂ    ニス層
【図１】
2018077405.tif 000003
【図２】
2018077405.tif 000004
【図３】
2018077405.tif 000005
【図４】
2018077405.tif 000006
【図５】
2018077405.tif 000007
【図６】
2018077405.tif 000008
【図７】
2018077405.tif 000009
【図８】
2018077405.tif 000010
【図９】
2018077405.tif 000011
【図１０】
2018077405.tif 000012